(57)【要約】      （修正有）【課題】搬送時には厚みを取らない表示ケースでありながら、使用時は、ボールペンや鉛筆などの卓上に散乱することの多い小物類を、カレンダーや写真の表示ケースの背面部にまとめて収納する事によって、卓上を整頓できる小物入れ付き表示ケースを提供する。【解決手段】ケースの基部となる背面部１に薄肉部にて接続してケースと一体成形された折り曲げ部４と、薄板プレート８とを備え、搬送時には、該表示ケースと薄板プレートを重ねて包装することで、包装形態時の厚みを押え、卓上では、該ケースの背面部に該薄板プレートを係合し、小物入れ部を形成し、該ケースの背面部と該薄板プレートとの間にできたスペースを小物入れとした。【選択図】図２
2008256898.tif 000002
【特許請求の範囲】
【請求項１】
表示ケースに１枚以上の表示物を抜き差し自在に収容可能な表示ケースにおいて、該ケースの背面側に薄肉部にて接続して該ケースの基部に一体成形された一ヶ所以上の折り曲げ部と、薄板プレートとを備え、該ケースの背面部に該薄板プレートを着脱可能に係合し、小物入れ部を形成した事を特徴とする小物入れ付き表示ケース。
【請求項２】
前記小物入れ付き表示ケースにおいて、小物入れ部に底面部材を基部に薄肉部にて接続して一体成形した事を特徴とする請求項１に記載の小物入れ付き表示ケース。
【請求項３】
前記小物入れ付き表示ケースにおいて、基部に薄肉部にて接続して一体成形した折り曲げ部を備え、該折り曲げ部を折り曲げる事により、表示ケースを傾けて保持する脚部として使用する事を特徴とする請求項１または請求項２に記載の小物入れ付き表示ケース。
【請求項４】
前記小物入れ付き表示ケースの主たる材料が、ポリ乳酸などの生分解性材料にて形成されたことを特徴とする請求項１から請求項３のいずれかに記載の小物入れ付き表示ケース。
【発明の詳細な説明】
【技術分野】
【０００１】
本発明は、卓上カレンダーや各種の写真パネル類やメモ用紙や商品のキャンペーン表示などの表示物を、上部の開口から簡単に収容して表示する一般プラスチックおよび生分解性プラスチック製ケースにおいて、表示ケースの背面部にボールペンや鉛筆などの小物入れ部を備えた小物入れ付き表示ケースに関するものである。
【背景技術】
【０００２】
従来、カレンダーや写真を表示する表示ケースは、数多く提案されている。また、これらの表示ケースは封筒などに入れられ、プレゼントされる場合が多い。従って、表示ケースは、厚みを取らない包装形態を取れることが望まれている。
【０００３】
また、表示ケースは卓上に置かれる場合が多く、この時卓上の整頓の為、小物入れ機能を有することが望まれている。小物入れ機能を有する表示ケースとしては、卓上カレンダー（特開２００１−３９０５６号公報）があり、小物入れとして使えるスペースを持った物として、カウントダウン式出産カレンダー（特開平１０−２４６７２号公報）等がある。
【特許文献１】特開２００１−３９０５６号
【特許文献１】特開平１０−２４６７２号
【発明の開示】
【発明が解決しようとする課題】
【０００４】
本発明は、搬送時には厚みを取らない表示ケースでありながら、使用時は、ボールペンや鉛筆などの卓上に散乱することの多い小物類を、カレンダーや写真の表示ケースの背面部にまとめて収納する事によって、卓上を整頓できる小物入れ付き表示ケースを提供することにある。
【課題を解決するための手段】
【０００５】
上記目的を達成するため本発明の小物入れ付き表示ケースは、ケースの基部となる背面部に薄肉部にて接続してケースと一体成形された折り曲げ部と、薄板プレートとを備え、搬送時には、該表示ケースと薄板プレートを重ねて包装することで、包装形態時の厚みを押え、卓上では、該ケースの背面部に該薄板プレートを係合し、小物入れ部を形成し、該ケースの背面部と該薄板プレートとの間にできたスペースを小物入れ部したことを最も主要な特徴とする。
【発明の効果】
【０００６】
本発明の小物入れ付き表示ケースは、包装時は厚みを抑えることで、セールスマンなどが客先へ大量に運ぶ際にもかさばらず、運びやすくなり、宅メール便などの安い宅配サービスにも対応でき、使用者は、卓上において、卓上に散乱するボールペンや鉛筆を整頓する小物入れ付きカレンダーや写真の表示ケースとして使用できる。
【発明を実施するための最良の形態】
【０００７】
表示ケースの基部に一体成形する折り曲げ部は、下部に小物入れ部の底面となる一つの底折り曲げ部と、上部には、薄板プレートの上部端面を係合する二つの上端折り曲げ部を配し、さらに、表示ケースの背面平面部には、薄板プレートの縦端面を係合する抜き部を配し、表示ケースと薄板プレートを安定的に係合させることが望ましい。
【実施例１】
【０００８】
本発明の実施形態について詳しく説明する。本実施例で説明する部位の形状及び数量は、これを限定する物ではない。図１は、本発明の表示ケースの天面方向からの斜視図である。図２は、表示ケースの背面方向からの斜視図である。１は背面部を示し、２は表示物保持部、４は上端折り曲げ部、１４は下端折り曲げ部、５は抜き部（Ａ）、８は薄板プレート、１３は表示物である。背面部１と表示物保持部２間には隙間を配し、この隙間にカレンダー用紙や、写真パネル、キャンペーン表示物を挿入する。
【０００９】
図３は、表示ケースの正面図であり、図４は、表示ケースの背面図である。７は抜き部（Ｃ）を示し、１５は抜き部（Ｄ）である。
【００１０】
図５は、薄板プレート８の正面図である。９は係り部（Ａ）を示し、１０は係り部（Ｂ）を示し、１１は係り部（Ｃ）である。  
【００１１】
図６は、表示ケースの基部に一体成形する上端折り曲げ部の抜き部に薄板プレートの上部端面係り部が係合した状態の斜視図である。同様に表示ケースの基部に一体成形する下端折り曲げ部１４の抜き部（Ｄ）１５に薄板プレート８の下部端面係り部（Ｂ）１０が係合し、表示ケースの背面部１に配する抜き部（Ａ）５に薄板プレート８の縦端面係り部（Ａ）９が係合する。背面部１と薄板プレート８との間にできたスペースを卓上に散乱するボールペンや鉛筆を整頓する小物入れとして使用できる。
【００１２】
図７は、本発明の表示ケースの天面方向からの斜視図である。図８は、表示ケースの背面方向からの斜視図である。１は背面部を示し、２は表示物保持部、４は上端折り曲げ部、３は底折り曲げ部、５は抜き部（Ａ）、８は薄板プレート、１３は表示物である。図１、図２とは異なり、下端折り曲げ部１４の代わりに表示ケースの基部に一体成形する小物入れ部の底面となる一つの底折り曲げ部３が配している。背面部１と表示物保持部２間には隙間を配し、この隙間にカレンダー用紙や、写真パネル、キャンペーン表示物を挿入する。
【００１３】
図９は、底折り曲げ部付き表示ケース正面図であり、図１０は、底折り曲げ部付き表示ケースの背面図である。７は抜き部（Ｃ）を示し、６は抜き部（Ｂ）である。上端折り曲げ部４には、薄板プレート８の上部端面を係合する抜き部（Ｃ）７を配し、底折り曲げ部３には、薄板プレート８の下部端面を係合する三つの抜き部（Ｂ）６を配している。
【００１４】
図１１は、底折り曲げ部付き表示ケース用薄板プレートの正面図である。９は係り部（Ａ）を示し、１０は係り部（Ｂ）を示し、１１は係り部（Ｃ）である。表示ケースの基部に一体成形する上端折り曲げ部４の抜き部（Ｃ）７に薄板プレート８の上部端面係り部（Ｃ）１１が係合し、表示ケースの基部に一体成形する底折り曲げ部３の抜き部（Ｂ）６に薄板プレート８の下部端面係り部（Ｂ）１０が係合し、表示ケースの背面部１に配する抜き部（Ａ）５に薄板プレート８の縦端面係り部（Ａ）９が係合する。背面部１と薄板プレート８との間にできたスペースを卓上に散乱するボールペンや鉛筆を整頓する小物入れとして使用できる。
【００１５】
図１２は、表示ケースの小物入れ部にペン１２を入れ、卓上に設置した状態の背面方向からの斜視図である。折り曲げ部を折り曲げる事により、表示ケースを傾けて保持する脚部として使用することができる。
【００１６】
図１３は、脚部付き表示ケースの背面方向からの斜視図である。図２の表示ケースに対して、脚部を配し表示ケースを傾けて保持する事ができる。背面部１に薄肉部にて接続して一体成形した脚部１６を配し、脚部１６を折り曲げる事により表示ケースを傾けて保持し、使用する事ができる。
【００１７】
図１４は、脚部付き表示ケースの正面図であり、図１５は、脚部付き表示ケースの背面図である。１６は背面部１に薄肉部にて接続して一体成形した脚部を示す。
【００１８】
図１６は、表示ケースに表示物と薄板プレートを同梱し、重ね合わせた状態の正面方向からの斜視図であり、図１７は、表示ケースに表示物と薄板プレートを同梱し、重ね合わせた状態の背面方向からの斜視図である。包装時は厚みを抑えることで、セールスマンなどが客先へ大量に運ぶ際にもかさばらず、運びやすくなり、宅メール便などの安い宅配サービスにも対応できる。
【００１９】
ここで説明した表示ケースはプラスチック材料を射出成形して得るが、成形材料にポリ乳酸などの生分解性材料を使用する事により、表示ケースの廃棄時に地球にやさしい製品とすることができる。
【産業上の利用可能性】
【００２０】
本発明の小物入れ付き表示ケースは、包装時は厚みを抑えることで、セールスマンなどが客先へ大量に運ぶ際にもかさばらず、運びやすくなり、宅メール便などの安い宅配サービスにも対応でき、使用者は、卓上において、卓上に散乱するボールペンや鉛筆を整頓する小物入れ付きカレンダーや写真の表示ケースに利用できる。
【図面の簡単な説明】
【００２１】
【図１】本発明の表示ケースの天面方向からの斜視図である。
【図２】表示ケースの背面方向からの斜視図である。
【図３】表示ケースの正面図である。
【図４】表示ケースの背面図である。
【図５】薄板プレートの正面図である。
【図６】表示ケースの基部に一体成形する上端折り曲げ部の抜き部に薄板プレートの上部端面係り部が係合した状態の斜視図である。
【図７】底折り曲げ部付き表示ケースの天面方向からの斜視図である。
【図８】底折り曲げ部付き表示ケースの背面方向からの斜視図である。
【図９】底折り曲げ部付き表示ケースの正面図である。
【図１０】底折り曲げ部付き表示ケースの背面図である。
【図１１】底折り曲げ部付き表示ケース用薄板プレートの正面図である。
【図１２】表示ケースの小物入れ部にペンを入れ、卓上に設置した状態の背面方向からの斜視図である。
【図１３】脚部付き表示ケースの背面方向からの斜視図である。
【図１４】脚部付き表示ケースの正面図である。
【図１５】脚部付き表示ケースの背面図である。
【図１６】表示ケースに表示物と薄板プレートを同梱し、重ね合わせた状態の正面方向からの斜視図である。
【図１７】表示ケースに表示物と薄板プレートを同梱し、重ね合わせた状態の背面方向からの斜視図である。
【符号の説明】
【００２２】
１    背面部
２    表示物保持部
３    底折り曲げ部
４    上端折り曲げ部
５    抜き部（Ａ）
６    抜き部（Ｂ）
７    抜き部（Ｃ）
８    薄板プレート
９    係り部（Ａ）
１０  係り部（Ｂ）
１１  係り部（Ｃ）
１２  ペン
１３  表示物
１４  下端折り曲げ部
１５  抜き部（Ｄ）
１６  脚部
【図５】
2008256898.tif 000003
【図１】
2008256898.tif 000004
【図２】
2008256898.tif 000005
【図３】
2008256898.tif 000006
【図４】
2008256898.tif 000007
【図６】
2008256898.tif 000008
【図７】
2008256898.tif 000009
【図８】
2008256898.tif 000010
【図９】
2008256898.tif 000011
【図１０】
2008256898.tif 000012
【図１１】
2008256898.tif 000013
【図１２】
2008256898.tif 000014
【図１３】
2008256898.tif 000015
【図１４】
2008256898.tif 000016
【図１５】
2008256898.tif 000017
【図１６】
2008256898.tif 000018
【図１７】
2008256898.tif 000019